(57)【要約】【課題】本発明は、サウンド出力の無効化操作に拘わらず、サウンドデータを扱っている状態をユーザに正確に通知できる機能を備えた情報処理機器および状態通知方法を提供することを課題とする。【解決手段】ＥＣ／ＫＢＣ１９は、サウンド出力検知部２４から出力されるサウンド出力検出信号（ＯＤＴ）、およびオア回路２５から出力されるサウンド検出信号（ＳＤＴ）を入力して、これらの信号をもとにサウンドモニタドライブ信号（ＳＭＤ）を生成し、当該サウンドモニタドライブ信号（ＳＭＤ）によりサウンドモニタ２６を動作制御する。【選択図】    図２
2004234505.tif 000002
【特許請求の範囲】
【請求項１】
サウンド情報の出力を無効化する無効化手段と、
前記サウンド情報の状態を検知する制御手段と、
前記制御手段で検知した前記サウンド情報の状態をユーザに音以外の情報により通知する状態通知手段と
を具備したことを特徴とする情報処理機器。
【請求項２】
前記制御手段は、前記無効化手段が機能している場合に、前記サウンド情報の状態を検知する請求項１記載の情報処理機器。
【請求項３】
前記状態通知手段は、前記無効化手段が機能している場合に、前記サウンド情報の状態をユーザに通知する請求項１記載の情報処理機器。
【請求項４】
前記制御手段は、アナログサウンド情報とディジタルサウンド情報を対象にサウンド情報の状態を検知する請求項１記載の情報処理機器。
【請求項５】
前記制御手段は、
ＣＰＵにバス接続され、当該バスを介してディジタルサウンド情報を入出力制御するとともに、アナログサウンド情報を入出力制御するサウンドコントローラと、
前記サウンドコントローラが入出力するサウンド情報の状態を検知する状態検知手段とを具備し、
前記状態通知手段は前記状態検知手段で検知したサウンド情報の状態をユーザに通知することを特徴とする請求項４記載の情報処理機器。
【請求項６】
前記制御手段は、
前記サウンドコントローラより出力されたサウンド情報のサウンド出力状態を検知する出力検知手段と、
前記状態検知手段が検知したサウンド情報の状態と、前記出力検知手段が検知したサウンド情報のサウンド出力状態とをもとに前記状態通知手段を制御する入出力コントローラとをさらに具備したことを特徴とする請求項５記載の情報処理機器。
【請求項７】
前記状態通知手段は、前記制御手段で検知した前記サウンド情報の状態を発光手段を用いてユーザに通知する請求項１記載の情報処理機器。
【請求項８】
前記状態通知手段は、前記制御手段で検知した前記サウンド情報の状態を振動手段を用いてユーザに通知する請求項１記載の情報処理機器。
【請求項９】
前記状態通知手段は、前記制御手段で検知した前記サウンド情報の状態を表示画面上に表示出力する請求項１記載の情報処理機器。
【請求項１０】
サウンド情報の出力を無効化する手段に、音量調整回路、サウンドミュート回路の少なくともいずれかを含む請求項１記載の情報処理機器。
【請求項１１】
サウンド情報を扱う情報処理機器の状態通知方法であって、
前記情報処理機器で扱われるサウンド情報の状態を検知するステップと、
前記検知したサウンド情報の状態を通知するステップと
を具備したことを特徴とする状態通知方法。
【請求項１２】
前記情報処理機器は、サウンド情報に従うサウンドを出力するサウンド出力手段と、前記サウンド出力手段のサウンド出力を無効化する操作手段とを具備し、前記サウンド情報の状態を通知するステップは、前記操作手段により前記サウンド出力手段のサウンド出力が無効化されているとき、前記サウンド情報の状態を検知するステップで検知したサウンド情報の状態を通知する請求項１１記載の状態通知方法。
【請求項１３】
前記情報処理機器は、サウンド情報に従うサウンドを出力するサウンド出力手段と、前記サウンド出力手段のサウンド出力を無効化する操作手段とを具備し、前記サウンド情報の状態を通知するステップは、前記操作手段の操作状態に拘わらず、前記サウンド情報の状態を検知するステップで検知したサウンド情報の状態を通知する請求項１１記載の状態通知方法。
【発明の詳細な説明】
【０００１】
【発明の属する技術分野】
本発明は、サウンド情報を扱う情報処理機器および状態通知方法に係り、特にサウンド情報に従うサウンドを出力するサウンド出力手段と、このサウンド出力手段のサウンド出力を無効化する操作手段とを備えたコンピュータ、マルチメディア端末等に適用して好適な情報処理機器および状態通知方法に関する。
【０００２】
【従来の技術】
コンピュータシステムに於いては、多機能化に伴い、音声情報、音楽番組等の記録、再生、通信等を可能にしている。この種、サウンド情報（オーディオ情報）を扱う機器に於いては、サウンドコントローラ、またはオーディオコントローラと称されるサウンド情報（オーディオ情報）の入出力制御を司る制御回路を内蔵し、システムバス上でＣＰＵとの整合性をとっている（例えば、特許文献１参照）。
【０００３】
この種、情報処理機器に於いては、サウンドの出力を必要としない処理に於いて、サウンド出力を無効化する操作手段を具備している。この際の操作手段としては、ボリューム操作による音量調整手段、サウンドミュート回路等がある。
【０００４】
従来では、これら操作手段の状態を確認しないまま機器を使用した際、機器内部でサウンド情報を扱っていても（例えば音声メッセージ、サウンド出力を伴う情報処理等を行っている際に於いて）、ユーザがその状態を認識することができないという問題があった。
【０００５】
【特許文献１】
特開平１１−１２６１２２号公報
【０００６】
【発明が解決しようとする課題】
上述したように、従来では、サウンド出力を無効化する操作手段の状態を確認しないまま機器を使用した際に、機器内部でサウンド情報を扱っていても、ユーザがその状態を認識することができない場合が生じるという問題があった。
【０００７】
本発明は上記実情に鑑みなされたもので、サウンド出力の無効化操作に拘わらず、サウンドデータを扱っている状態をユーザに正確に通知できる機能を備えた情報処理機器および状態通知方法を提供することを目的とする。
【０００８】
【課題を解決するための手段】
本発明は、サウンド情報の出力を無効化する手段を具備する情報処理機器に於いて、前記サウンド情報の状態を検知する制御手段を具備したことを特徴とする。このようなサウンド情報の状態を検知する制御手段を具備することで、例えボリューム操作による音量調整手段、サウンドミュート回路等によってサウンド出力が無効化されていても、内部で扱われているサウンド情報の状態を上記制御手段を介してユーザが認識できる。これにより、サウンド出力を伴う情報の欠落等を確実に防止できるとともに、サウンド出力を伴う各種の処理操作を円滑に行うことができ、信頼性並びに操作性を向上できる。
【０００９】
【発明の実施の形態】
以下、図面を参照して本発明の実施形態を説明する。
【００１０】
図１は本発明の第１乃至第３実施形態に於ける情報処理機器の外観構成を示す斜視図であり、ここでは、ノートブック型のパーソナルコンピュータを例に示している。
【００１１】
この図１に示す、本発明の実施形態によるコンピュータ１００は、コンピュータ本体１１０と、ディスプレイユニット（表示部筐体）１２０とから構成されている。
【００１２】
ディスプレイユニット１２０には、ＬＣＤを用いた表示装置が表示デバイス１２１として組み込まれている。この表示デバイス１２１を組み込んだディスプレイユニット１２０は、コンピュータ本体１１０に対して解放位置と閉塞位置との間を回動自在に取り付けられている。
【００１３】
コンピュータ本体１１０は薄い箱形の筐体を有しており、その筐体上面には、キーボード２０が配置され、キーボード２０の手前の筐体部分上面にはアームレストが形成されている。このアームレストのほぼ中央部には、タッチパネル１１２が設けられる。また、キーボード１１１が設けられた筐体部分上面には、表示デバイスの表示切り替えを指示する専用の操作ボタン（プレゼンテーションボタン）、サウンドミュート機能をオン／オフするミュートボタン１１５等が設けられる。さらに、上記キーボード２０が配置された筐体上面の左右には、サウンド出力手段として用いられるスピーカ２２ａ，２２ｂが設けられ、ステレオサウンドを出力可能にしている。上記コンピュータ本体１１０の筐体側面には、光ディスクドライブ（ＯＤＤ）のメディアスロット、カードスロット、音量調整用のボリューム等が設けられる。
【００１４】
また、上記ディスプレイユニット（表示部筐体）１２０の前面下部には、その左右にそれぞれ上記スピーカ２２ａ，２２ｂを鳴動する音源の音の状態、即ち機器内部で扱っているサウンド情報の状態をユーザに視覚認識させるためのサウンドモニタとして用いられる、例えばＬＥＤを用いた表示器２６ａ，２６ｂが設けられる。この表示器２６ａ，２６ｂ（サウンドモニタ）の表示状態をユーザが目視することで、例えばボリューム操作による音量調整手段、サウンドミュート回路等によってサウンド出力が無効化されていた状態に於いても、内部で扱われているサウンド情報の状態をユーザが確実に認識できる。
【００１５】
図２は上記図１に示したコンピュータのシステム構成を示すブロック図である。このコンピューターシステムはバッテリ駆動可能なノートブックタイプの携帯型パーソナルコンピュータであり、図示するように、ＣＰＵ１１、グラフィック・メモリコントローラハブ１２、メモリ１３、グラフィックスコントローラ１４、ＶＲＡＭ１４１、Ｉ／Ｏハブ１５、ＢＩＯＳ−ＲＯＭ１６、光ディスクドライブ（ＯＤＤ）１７、サウンドコントローラ１８、キーボード・エンベッテッドコントローラ（ＥＣ／ＫＢＣ）１９、キーボード２０、サウンド増幅部２１、スピーカ２２、サウンド入力検知部２３、サウンド出力検知部２４、オア回路２５、サウンドモニタ２６等を備えている。また、メモリ１３には、サウンドドライバが格納される。
【００１６】
サウンドコントローラ１８は、システムで扱うサウンド情報の入出力制御を司るもので、ここでは、ＣＰＵ１１が実行するサウンドドライバ１３１からディジタルサウンドデータ（ＯＤＤ）を入力し、外部よりアナログサウンド信号（ＡＵＤ）を入力して、これらのサウンド情報をもとにサウンド出力するサウンド信号（ＳＤ）を生成し、当該サウンド信号（ＳＤ）をサウンド増幅部２１に送出する。
【００１７】
また、サウンドコントローラ１８は、上記サウンドドライバ１３１からディジタルサウンドデータの検出メッセージ（ＤＴＭ）を受けると、ディジタルサウンドデータ検出信号（ＤＤＴ）を出力する。さらにＣＰＵ１１からミュートコマンド（ＭＣ）を受けると、当該ミュートコマンド（ＭＣ）によりサウンド増幅部２１の動作を停止させてサウンド出力を無効化する。
【００１８】
キーボード・エンベッテッドコントローラ（ＥＣ／ＫＢＣ）１９は、システム電源管理、キーボードコントローラ等の機能を実現するマイクロプロセッサを含んだ集積デバイスであり、ここでは、キーボード２０およびミュートボタン１１５等の入力処理を行う。また、サウンド出力検知部２４から出力されるサウンド出力検出信号（ＯＤＴ）、およびオア回路２５から出力されるサウンド検出信号（ＳＤＴ）を入力して、これらの信号をもとにサウンドモニタドライブ信号（ＳＭＤ）を生成し、当該サウンドモニタドライブ信号（ＳＭＤ）によりサウンドモニタ２６を動作制御する。尚、このキーボード・エンベッテッドコントローラ（ＥＣ／ＫＢＣ）１９を以後、ＥＣ／ＫＢＣと称す。
【００１９】
サウンド増幅部２１は、サウンドコントローラ１８より入力したサウンド信号（ＳＤ）を電力増幅し、スピーカ２２（２２ａ，２２ｂ）よりサウンド信号（ＳＤ）に従うサウンドを出力する。このサウンド増幅部２１は、音量調整用のボリューム２１１により増幅度が制御される。また、サウンドコントローラ１８よりミュートボタン１１５の操作に伴うミュートコマンド（ＭＣ）を受けると、増幅動作を停止してサウンド出力を無効化する。
【００２０】
スピーカ２２はサウンド増幅部２１で電力増幅されたサウンド信号（ＳＤ）に従い可聴周波数帯のサウンドを出力するラウドスピーカであり、図１に示すコンピュータ本体１１０の筐体上面に設けられた左右のステレオスピーカ２２ａ，２２ｂに相当する。
【００２１】
サウンド入力検知部２３は、外部より入力されたアナログサウンド信号（ＡＵＤ）を検知し、当該検知時にアナログサウンド情報検出信号（ＡＤＴ）を出力する。このアナログサウンド情報検出信号（ＡＤＴ）は、上記サウンドコントローラ１８から出力されるディジタルサウンドデータ検出信号（ＤＤＴ）とともにオア回路２５に入力される。
【００２２】
サウンド出力検知部２４は、サウンド増幅部２１を介してスピーカ２２（２２ａ，２２ｂ）より出力される、サウンド出力の状態を検知し、当該検知時にサウンド出力検出信号（ＯＤＴ）を出力する。このサウンド出力検出信号（ＯＤＴ）はＥＣ／ＫＢＣ１９に送出される。
【００２３】
オア回路２５は、サウンドコントローラ１８からディジタルサウンドデータ検出信号（ＤＤＴ）を入力し、サウンド入力検知部２３からアナログサウンド情報検出信号（ＡＤＴ）を入力して、そのいずれか若しくは双方の信号入力に伴い、サウンド検出信号（ＳＤＴ）を出力する。このサウンド検出信号（ＳＤＴ）は、サウンド出力検知部２４から出力されるサウンド出力検出信号（ＯＤＴ）とともにキーボード・エンベッテッドコントローラ（ＥＣ／ＫＢＣ）１９に送出される。
【００２４】
サウンドモニタ２６は、ＥＣ／ＫＢＣ１９から出力されるサウンドモニタドライブ信号（ＳＭＤ）によりドライブ制御されて、サウンド情報の状態をユーザに通知する。このサウンドモニタ２６は上記図１に示すディスプレイユニット（表示部筐体）１２０の前面下部に設けられた表示器２６ａ，２６ｂに相当する。
【００２５】
図３は上記図２に示すシステム構成要素から本発明に直接関係する構成要素を抜粋し簡略化してサウンド情報および各種信号の流れを分かり易く示した、本発明の主要部の構成を示すブロック図であり、上記図２に示す構成要素と同一部分に同一符号を付している。また、ここでは、サウンド情報の流れを実線で示し、それ以外の制御信号、検出信号等をそれぞれ破線で示している。
【００２６】
図４は本発明の第１実施形態に於ける処理の手順を示すフローチャートである。この処理は、例えばＥＣ／ＫＢＣ１９内のマイクロプロセッサの処理により実現可能である。この図４に示す第１実施形態は、ＥＣ／ＫＢＣ１９がサウンド出力検知部２４より出力されるサウンド出力検出信号（ＯＤＴ）を用いず、オア回路２５より出力されるサウンド検出信号（ＳＤＴ）みのを用いてサウンドモニタ２６の動作を制御している。
【００２７】
ここで上記各図を参照して本誌の第１実施形態に於ける動作を説明する。
【００２８】
情報処理機器内で扱うサウンド情報は、アナログサウンド信号（ＡＵＤ）とディジタルサウンドデータ（ＯＤＤ）に大別される。アナログサウンド信号（ＡＵＤ）は、例えば外部の再生装置等より供給され、ディジタルサウンドデータ（ＯＤＤ）は、例えば光ディスクドライブ（ＯＤＤ）１７の再生出力等によって取得される。
【００２９】
これら各サウンド情報のうち、ディジタルサウンドデータ（ＯＤＤ）の検知は、サウンドドライバ１３１で行われる。サウンドドライバ１３１はシステム内の処理に於いてディジタルサウンドデータを検出すると、検出メッセージ（ＤＴＭ）をサウンドコントローラ１８に送出する。
【００３０】
サウンドコントローラ１８は上記サウンドドライバ１３１からディジタルサウンドデータの検出メッセージ（ＤＴＭ）を受けると、ディジタルサウンドデータ検出信号（ＤＤＴ）をオア回路２５に送出する。
【００３１】
一方、外部より入力されたアナログサウンド信号（ＡＵＤ）は、サウンドコントローラ１８とサウンド入力検知部２３に入力される。
【００３２】
サウンド入力検知部２３はアナログサウンド信号（ＡＵＤ）の入力を検知すると、アナログサウンド情報検出信号（ＡＤＴ）をオア回路２５に送出する。
【００３３】
オア回路２５は、サウンドコントローラ１８からディジタルサウンドデータ検出信号（ＤＤＴ）を入力した際、若しくはサウンド入力検知部２３からアナログサウンド情報検出信号（ＡＤＴ）を入力した際に、そのいずれかの信号入力に伴い、サウンド検出信号（ＳＤＴ）をＥＣ／ＫＢＣ１９に送出する。
【００３４】
また、サウンドコントローラ１８から出力されたサウンド信号（ＳＤ）がサウンド増幅部２１で電力増幅され、スピーカ２２（２２ａ，２２ｂ）よりサウンド出力されている際は、サウンド出力検知部２４がその状態を検知して、サウンド出力検出信号（ＯＤＴ）をＥＣ／ＫＢＣ１９に送出する。
【００３５】
ＥＣ／ＫＢＣ１９は、サウンド出力検知部２４からサウンド出力検出信号（ＯＤＴ）を入力し、オア回路２５からサウンド検出信号（ＳＤＴ）を入力すると、これらの信号をもとにサウンドモニタドライブ信号（ＳＭＤ）を生成し、当該サウンドモニタドライブ信号（ＳＭＤ）によりサウンドモニタ２６を動作制御する。
【００３６】
この際の処理手順を図４に示している。この図４に示す第１実施形態の処理に於いては、ＥＣ／ＫＢＣ１９がサウンド出力検知部２４より出力されるサウンド出力検出信号（ＯＤＴ）を用いず、オア回路２５より出力されるサウンド検出信号（ＳＤＴ）みのを用いてサウンドモニタ２６の動作を制御している。
【００３７】
サウンドコントローラ１８はディジタルサウンドデータを検出するとディジタルサウンドデータ検出信号（ＤＤＴ）を出力する。また、サウンド入力検知部２３はアナログサウンド情報を検出するとアナログサウンド情報検出信号（ＡＤＴ）を出力する。
【００３８】
ＥＣ／ＫＢＣ１９は、サウンドコントローラ１８から出力されたディジタルサウンドデータ検出信号（ＤＤＴ）、またはサウンド入力検知部２３から出力されたアナログサウンド情報検出信号（ＡＤＴ）に従い、オア回路２５からサウンド検出信号（ＳＤＴ）を受けると、サウンドモニタ２６を動作させる（図４ステップＳ１〜Ｓ３）。具体例としては、図１に示す、ＬＥＤを用いた表示器２６ａ，２６ｂをサウンド情報の入力レベルに応じて発光制御する。
【００３９】
また、サウンドコントローラ１８からディジタルサウンドデータ検出信号（ＤＤＴ）が出力されず、サウンド入力検知部２３からアナログサウンド情報検出信号（ＡＤＴ）が出力されない際は、サウンドモニタ２６による通知動作を休止制御する（図４ステップＳ１，Ｓ２，Ｓ４）。
【００４０】
このような、サウンドモニタ２６の動作制御により、例えボリューム操作による音量調整手段、サウンドミュート回路等によってサウンド出力が無効化されていても、内部で扱われているサウンド情報の状態をサウンドモニタ２６により容易に認識できる。これにより、サウンド出力を伴う情報の欠落等を確実に防止できるとともに、サウンド出力を伴う各種の処理操作を円滑に行うことができ、信頼性並びに操作性を向上できる。また、この第１実施形態では、スピーカ２２（２２ａ，２２ｂ）からサウンドが出力されている際も同時にサウンドモニタ２６がそのサウンド出力状態をモニタ表示していることから、聴覚並びに視覚の双方で確実にサウンド情報を認識でき、騒音の大きな環境下での使用時等、サウンド出力内容が聞き取り難い場合に於いてもモニタ効果を発揮できる。
【００４１】
次に、図５を参照して本発明の第２実施形態に於ける動作を説明する。
この図５に示す第２実施形態の処理では、ＥＣ／ＫＢＣ１９が、サウンド出力検知部２４から出力されるサウンド出力検出信号（ＯＤＴ）と、オア回路２５から出力されるサウンド検出信号（ＳＤＴ）とをもとにサウンドモニタドライブ信号（ＳＭＤ）を生成し、当該サウンドモニタドライブ信号（ＳＭＤ）によりサウンドモニタ２６の動作を制御している。
【００４２】
ＥＣ／ＫＢＣ１９は、サウンドコントローラ１８から出力されたディジタルサウンドデータ検出信号（ＤＤＴ）、またはサウンド入力検知部２３から出力されたアナログサウンド情報検出信号（ＡＤＴ）に従い、オア回路２５からサウンド検出信号（ＳＤＴ）を受けた際、サウンド出力検知部２４からサウンド出力検出信号（ＯＤＴ）が入力されていなければ、サウンドモニタ２６を動作させる（図５ステップＳ１１〜Ｓ１４）。また、オア回路２５からサウンド検出信号（ＳＤＴ）を受けた際、サウンド出力検知部２４からサウンド出力検出信号（ＯＤＴ）が入力されていれば、サウンドモニタ２６を動作させない（図５ステップＳ１１〜Ｓ１３，Ｓ１５）。
【００４３】
このような、サウンドモニタ２６の動作制御により、例えボリューム操作による音量調整手段、サウンドミュート回路等によってサウンド出力が無効化されていても、内部で扱われているサウンド情報の状態をサウンドモニタ２６により容易に認識できる。これにより、サウンド出力を伴う情報の欠落等を確実に防止できるとともに、サウンド出力を伴う各種の処理操作を円滑に行うことができ、信頼性並びに操作性を向上できる。また、この第２実施形態では、スピーカ２２（２２ａ，２２ｂ）からサウンドが出力されていないときだけサウンドモニタ２６がそのサウンド出力状態をモニタ表示していることから、サウンドモニタ２６の動作に伴う操作の煩わしさを排除しつつ、システム内で扱われるサウンド情報を的確に把握できる。
【００４４】
次に、図６を参照して本発明の第３実施形態に於ける動作を説明する。
この図６に示す第３実施形態に於いては、サウンドモニタ２６に代わり、表示デバイス１２１を用いて、システム内で扱われるサウンド情報の状態通知を行う例を示している。
【００４５】
ＥＣ／ＫＢＣ１９はオア回路２５からサウンド検出信号（ＳＤＴ）を受けると、その検出メッセージをＣＰＵ１１上で動作するソフトウェア１３２に通知する。ソフトウェア１３２は、同じくＣＰＵ１１上で動作する画像表示ドライバ１３３を介して、表示デバイス１２１に、所定の表示フォーマットで、サウンド情報の状態をモニタ表示する。
【００４６】
この際の表示例を図６に符号３１、３２で示している。符号３１に示すような、デスクトップ画面上に、例えばレベルメータで表示する表示形式に於いては、その表示ウィンドウを表示画面上の任意の位置に配置して見易い状態でシステム内で扱われるサウンド情報の状態を正確に認識できる。また、符号３２に示すような、システムトレイにアイコンで表示する表示形式に於いては、表示画面を用いた作業に支承なくシステム内で扱われるサウンド情報の状態を認識することができる。
【００４７】
【発明の効果】
以上詳記したように本発明によれば、サウンド出力の無効化操作に拘わらず、サウンドデータを扱っている状態をユーザに正確に通知することができる。
【図面の簡単な説明】
【図１】本発明の第１乃至第３実施形態に於ける情報処理機器の外観構成を示す斜視図。
【図２】上記実施形態に於ける情報処理機器の構成を示すブロック図。
【図３】上記実施形態に於ける主要部の構成を示すブロック図。
【図４】本発明の第１実施形態に於ける処理の手順を示すフローチャート。
【図５】本発明の第２実施形態に於ける処理の手順を示すフローチャート。
【図６】本発明の第３実施形態に於ける要部の構成を示すブロック図。
【符号の説明】
１１…ＣＰＵ、１２…グラフィック・メモリコントローラハブ、１３…メモリ、１４…グラフィックスコントローラ、１５…Ｉ／Ｏハブ、１６…ＢＩＯＳ−ＲＯＭ、１７…光ディスクドライブ（ＯＤＤ）、１８…サウンドコントローラ、１９…キーボード・エンベッテッドコントローラ（ＥＣ／ＫＢＣ）、２０…キーボード、２１…サウンド増幅部、２２（２２ａ，２２ｂ）…スピーカ、２３…サウンド入力検知部、２４…サウンド出力検知部、２５…オア回路、２６…サウンドモニタ、２６ａ，２６ｂ…表示器、１００…コンピュータ、１１０…コンピュータ本体、１１２…タッチパネル、１２０…ディスプレイユニット（表示部筐体）、１２１…表示デバイス（ＤＩＳＰ）、１３１…サウンドドライバ、１３２…ソフトウェア、１３３…画像表示ドライバ。
【図１】
2004234505.tif 000003
【図２】
2004234505.tif 000004
【図３】
2004234505.tif 000005
【図４】
2004234505.tif 000006
【図５】
2004234505.tif 000007
【図６】
2004234505.tif 000008